(57)【要約】【課題】  被収容物を脱落させることなく確実に収容し、しかも被収容物の収納、取り出しを容易に繰り返すことができ、さらにパッケージのデザインの自由度が高いブリスターパッケージを提供する。【解決手段】  台紙１０と、被収容物を収容する凹部１ａを有するブリスターカバー１とからなるブリスターパッケージであって、台紙もしくはブリスターカバーの一方に、少なくとも１ヶ所にロック用フラップ２を備え、このロック用フラップの遊端部寄りに、同ロック用フラップの基部側へ先端が向かう爪片３を設けるとともに、この爪片上あるいはこの爪片よりも遊端側のロック用フラップ上に凹部の形成方向に凸状をなす突起４を設け、また他方に、前記ロック用フラップの遊端側を挿通させて爪片を係止せしめるスリット１１を設けた。【選択図】  図１
2007269379.tif 000002
【特許請求の範囲】
【請求項１】
台紙と、被収容物を収容する凹部を有するブリスターカバーとからなるブリスターパッケージであって、台紙もしくはブリスターカバーの一方に、少なくとも１ヶ所にロック用フラップを備え、このロック用フラップの遊端部寄りに、同ロック用フラップの基部側へ先端が向かう爪片を設けるとともに、この爪片上あるいはこの爪片よりも遊端側のロック用フラップ上に凹部の形成方向に凸状をなす突起を設け、また他方に、前記ロック用フラップの遊端側を挿通させて爪片を係止せしめるスリットを設けてなるブリスターパッケージ。
【請求項２】
前記ロック用フラップをブリスターカバーの凹部を除いた部分に設け、またスリットを台紙に設けてなる請求項１に記載のブリスターパッケージ。
【請求項３】
前記ロック用フラップをブリスターカバーの端縁に設けてなる請求項２に記載のブリスターパッケージ。
【請求項４】
前記ブリスターカバーに、台紙の左右の側縁を案内するガイドレールを設けてなる請求項２に記載のブリスターパッケージ。
【請求項５】
前記台紙を二つ折りのもので構成し、前記爪片を前後の台紙の間に係合せしめるように構成し、爪片が台紙の後面側に現れないように構成してなる請求項２に記載のブリスターパッケージ。
【発明の詳細な説明】
【技術分野】
【０００１】
本発明は、商品の収容部を有するブリスターカバーの裏側に、平坦な台紙を装着せしめるタイプのブリスターパッケージに関し、より詳しくはブリスターカバーと台紙との間の係合を確実に保つことができて、商品を安定して収容できるブリスターパッケージに関する。
【背景技術】
【０００２】
ブリスターパッケージは、通常は透明な合成樹脂よりなり、商品の収容部たる凹部を成形してなるブリスターカバーと、商品の説明等の印刷表示がなされた平坦な台紙とで構成され、ブリスターカバーの裏側に台紙をスライドさせて着脱できるようにしたものがある。
【０００３】
前記ブリスターパッケージは、商品を収容して吊り下げ展示されるのが一般的であり、商品を展示している状態で中の商品が抜け落ちるようなことがないように、カバーと台紙とを確実に係合させる必要がある。
【０００４】
従来は、商品を収容してカバーと台紙とを嵌めた状態で、カバーと台紙との間をステープラで固定したり、粘着テープで貼り付けたりしていたが、ステープラは商品を取り出す際に指を傷付けるおそれがあり、また粘着テープは破損して商品が脱落したり、剥がすと台紙の印刷を損なうおそれがある。
【０００５】
また、ステープラや粘着テープで固定したものは商品を一旦パッケージから取り出すと、再び商品を収容する際には改めてステープラや粘着テープで固定しなければならないという煩雑さがある。
【０００６】
そこで、カバーと台紙との間にロック機構を設けてカバーと台紙とが確実に係合して商品の脱落を防止するようにしたものが提案されている（例えば特許文献１、２参照）。
【０００７】
しかし、上述した従来のものにおけるロック機構は、カバーと台紙とのいずれか一方に設けた突起を、他方に設けた切欠きや孔に係合させるようにして台紙が外れる方向にスライドするのを防止するものでしかなく、台紙が外れるスライド方向に強い力が掛かるとロック機構が破損したり外れたりして商品が脱落するおそれがあるので、より確実に商品の脱落を防止できるものが要求されている。
【０００８】
さらに、従来のものでは台紙が外れる方向に対するロックが十分に行われず、台紙がそのスライド方向にずれる遊びが生じやすく、例えば下方に広がる略三角形状のようなパッケージを製作すると、台紙がその左右の側辺を案内する左右のガイド用折り返しフラップから脱落してしまうおそれがあり、パッケージデザインの自由を制限している。
【特許文献１】特開２００１−３０１８２３号公報（第１〜７頁、図１〜１５）
【特許文献２】特開２００３−２２１０６６号公報（第１〜４頁、図１〜１１）
【発明の開示】
【発明が解決しようとする課題】
【０００９】
本発明の課題は、被収容物を脱落させることなく確実に収容し、しかも被収容物の収納、取り出しを容易に繰り返すことができ、さらにパッケージのデザインの自由度が高いブリスターパッケージを提供することにある。
【課題を解決するための手段】
【００１０】
本発明に係るブリスターパッケージは、台紙と、被収容物を収容する凹部を有するブリスターカバーとからなるブリスターパッケージであって、台紙もしくはブリスターカバーの一方に、少なくとも１ヶ所にロック用フラップを備え、このロック用フラップの遊端部寄りに、同ロック用フラップの基部側へ先端が向かう爪片を設けるとともに、この爪片上あるいはこの爪片よりも遊端側のロック用フラップ上に凹部の形成方向に凸状をなす突起を設け、また他方に、前記ロック用フラップの遊端側を挿通させて爪片を係止せしめるスリットを設けた構成のものとしてある。
【００１１】
また、前記ロック用フラップをブリスターカバーの凹部を除いた部分に設け、またスリットを台紙に設けた構成のものとしてある。
【００１２】
さらに、前記ロック用フラップをブリスターカバーの端縁に設けた構成のものとしてある。
【００１３】
また、前記ブリスターカバーに、台紙の左右の側縁を案内するガイドレールを設けた構成のものとしてある。
【００１４】
さらに、前記台紙を二つ折りのもので構成し、前記爪片を前後の台紙の間に係合せしめるように構成し、爪片が台紙の後面側に現れないように構成したものとしてある。
【発明の効果】
【００１５】
本発明によれば、ロック用フラップと台紙の係合は、ロック用フラップに設けた爪片が台紙にあけたスリットの縁に係合しており、さらにロック用フラップに設けた突起が台紙の前面側に当接しているので、爪片は台紙の背面側すなわち爪片がスリットの縁に確実に引っ掛かる方向に付勢され、したがってロック用フラップは台紙と確実に係合し、台紙がブリスターカバーから外れて被収容物が脱落するのを確実に防止できる。
【００１６】
また、被収容物を収容した状態で台紙がブリスターカバーから外れる方向にスライドしようとすると、台紙はロック用フラップに設けた爪片の基部によって動きが規制されて台紙の外れが阻止される。
【００１７】
そして、ブリスターカバーに設ける台紙のガイドレールの形態を、台紙がブリスターカバーから浮き上がるのを規制できるように構成してなるものは、例えばガイドレールがスリット状に構成されて、そのスリットに台紙の左右の側縁を挟んで案内するようになっているものや、端縁部に台紙の装着方向に折り返された折り返しフラップを有するものは、ロック用フラップが１ヶ所だけの配置であっても、台紙とブリスターカバーの係合が確実におこなわれる。
【００１８】
本ブリスターパッケージは、ステープラや粘着テープを用いることなく台紙をブリスターカバーに確実に固定することができるので、一旦被収容物を取り出した後にも繰り返し再使用することができる。したがって、メーカ側においては商品をパッケージ内に収容した後に生じる商品の再検査や、またユーザ側においては商品の保管具としても使用できる。
【００１９】
また、ロック用フラップによって、台紙とブリスターカバーを確実に係合させることができるので、ブリスターカバーの左右に台紙のガイドレールを設ける場合も、そのガイドレールを非平行のものに構成しても台紙がブリスターカバーから外れるおそれはまずなく、したがってブリスターパッケージ全体のデザインの自由度を格段に向上せしめることができる。
【００２０】
そして、台紙を二つ折りの二重のものにすることにより、ロック用フラップはブリスターパッケージ後側に現れず、したがって商品すなわちブリスターパッケージを複数個吊り下げて展示販売した場合、最前の商品をとる際に、その商品すなわちブリスターパッケージのロック用フラップが背後に吊り下げられている商品、あるいはその上段に吊り下げられている商品のパッケージ等に引っ掛かるおそれもなく、さらには台紙を片面印刷のものとし、非印刷面を内側に二つ折りにすることができ、印刷コストの低減も期せる。
【発明を実施するための最良の形態】
【００２１】
以下、本発明に係るブリスターパッケージの実施例を添付図面に示す具体例に基づいて詳細に説明する。
まず第１実施例のブリスターパッケージを図１〜図４を用いて説明する。
本第１実施例のブリスターパッケージは、ブリスターカバー１に設けるロック用フラップ２をブリスターカバー１の上下の端部にそれぞれは配置した構成としてある。そのロック用フラップ２はブリスターカバー１本体を裁断して形成している。
【００２２】
ブリスターカバー１は、例えばポリエチレンテレフタレート等の透明な合成樹脂製のシートを成形したものとしてあって、適度の柔軟性を有し、被収容物たる商品を収容するための凹部１ａが形成されている。なお、図中の符号５は吊り下げ展示用の孔を示している。
【００２３】
上記ブリスターカバー１の上下端部には、ロック用フラップ２を設けてあり、このロック用フラップ２は、遊端部寄りに同ロック用フラップの基部側へ先端が向かう爪片３を備えている。
【００２４】
また、その爪片３の基部には、ブリスターカバー１の凹部１ａの形成方向に例えば０．５〜０．７ｍｍ程度の高さの凸状をなす略半球状の突起４を設けてある。
【００２５】
そして、台紙１０は、ブリスターカバー１と同様に、例えばポリエチレンテレフタレート等の透明な合成樹脂製のシートを成形したもの、また薄い紙材を形成したものから構成されており、その台紙１０は通常１枚板である。
【００２６】
また、台紙１０には、ブリスターカバー１にセットされた際に、ブリスターカバー１に設けられている吊り下げ展示用の孔５と連通する孔１２を有している。
【００２７】
そして、上記台紙１０には、ブリスターカバー１に設けたロック用フラップ２が挿通するスリット１１を、そのロック用フラップ２の位置に対応し、かつ配置数に対応して設けてあり、このスリット１１は、ブリスターカバー１に台紙１０をセットした状態において、ロック用フラップ２の前記爪片３が完全にスリット１１内に入り込む位置に設けてある。
【００２８】
上述したブリスターパッケージに商品を収容する際には、ブリスターカバー１の凹部１ａに商品を入れて、同ブリスターカバー１のロック用フラップ２の遊端部を台紙１０のスリット１１に差込む。この差込み動作を設置された全てのロック用フラップ２に対して行う。
【００２９】
かくすると、突起４が台紙１０の背面側に当接し、それによって爪片３が同背面側に付勢され、図４に拡大して示されるように爪片３の先端部がスリット１１の縁部に引っ掛かって係合する。
【００３０】
したがって、台紙１０をセットした状態で、台紙１０がロック用フラップ２の遊端部方向へ移動すなわち脱落方向へ移動しようとしたり、また、ブリスターカバー１の鉛直方向すなわち離れようとしたりすると、台紙１０は爪片３の基部にスリット１１の縁部が当接してその動きが規制されるので、台紙１０はブリスターカバー１と確実に係合し、商品の脱落が確実に防止される。
【００３１】
そして、台紙１０をブリスターカバー１から外すには、ロック用フラップ２の突起４と台紙１０の背面との接触がなくなるまでロック用フラップ２を引き起こし、爪片３をその先端から台紙１０のスリット１１に通過させながらロック用フラップ２をスリット１１から引き出す。
【００３２】
図５乃至図１２は、本発明に係るブリスターパッケージの他の実施例を示すもので、本ブリスターパッケージは、所望によって以下の形態になる場合もある。
【００３３】
図５に示される第２実施例のブリスターパッケージは、ブリスターカバー１に設けるロック用フラップ２をブリスターカバー１の端部ではなく内方に配置した構成とし、吊り下げ展示用の孔５をブリスターパッケージの上端付近に設けている。
ロック用フラップ２はブリスターカバー１本体を裁断して形成している。図５（ａ）は、台紙１０をブリスターカバー１にセットした状態の背面図であり、図５（ｂ）は、ブリスターカバー１の背面図である。
【００３４】
図６に示される第３実施例のブリスターパッケージは、ブリスターカバー１に設けるロック用フラップ２をブリスターカバー１の上下左右の端部にそれぞれは配置した構成としたものである。
本図は、台紙１０をブリスターカバー１にセットした状態の背面図である。
また、本図の形態は大きめのブリスターパッケージや重い商品用に用いるのが有効であり、配置するロック用フラップ２の位置や数は所望によって決められる。
【００３５】
図７に示される第４実施例のブリスターパッケージは、第１実施例のブリスターカバー１の左右の端部付近に、台紙１０をスライド案内するための互いに平行をなす突条形ガイドレール７を設けた構成としたもので、台紙１０の左右の辺部の引っ掛かりによる捲れの防止に有効である。
【００３６】
その突条形ガイドレール７の長さは、上下に設けているロック用フラップ２の間に位置し、また、その鉛直方向の高さは台紙１０の厚さによって決められる。図７（ａ）は、台紙１０をブリスターカバー１にセットした状態の背面図であり、図７（ｂ）は、突条形ガイドレール７と台紙１０との係合状態を示す矢印方向から見た一部拡大図である。
【００３７】
図８に示される第５実施例のブリスターパッケージは、第１実施例のブリスターカバー１の左右の端部付近に、台紙１０を案内するための互いに平行をなすフラップ形ガイドレール８を設けた構成としたもので、台紙１０の左右の辺部の引っ掛かりによる捲れの防止とともに、台紙の保持に有効である。
したがって、ブリスターカバー１に設けるロック用フラップ２を、ブリスターカバー１の上端部あるいは下端部の１ヶ所だけに配置しても、ブリスターカバー１と台紙１０の係合が確実に行われる。
【００３８】
前記フラップ形ガイドレール８はブリスターカバー１の本体を裁断して形成しており、使用に際しては台紙１０のセット方向側に若干引き起こしてから台紙１０をセットしてもよいが、台紙１０を裁断によって生じたスリットに強制的にセットしてもよい。フラップ形ガイドレール８の幅は台紙１０の素材の種類すなわち硬質材か軟質材かによってその幅の広狭が決められる。
また、台紙１０の下方端部付近までが係合されている。図８（ａ）は、台紙１０をブリスターカバー１にセットした状態の背面図であり、図８（ｂ）は、フラップ形ガイドレール８と台紙１０との係合状態を示す矢印方向から見た一部拡大図である。
【００３９】
図９に示される第６実施例のブリスターパッケージは、前述した第５実施例のブリスターカバー１の下端部付近に、台紙１０の移動を規制するストッパ用フラップ９を設けた構成としたものである。
したがって、本形態においても、ブリスターカバー１に設けるロック用フラップ２を、ブリスターカバー１の上端部あるいは下端部の１ヶ所だけに配置しても、ブリスターカバー１と台紙１０の係合が確実に行われる。
【００４０】
前記ストッパ用フラップ９はブリスターカバー１の本体を裁断して形成しており、使用に際しては台紙１０のセット方向側に若干引き起こしてから台紙１０をセットしてもよいが、台紙１０を裁断によって生じたスリットに強制的にセットしてもよい。
図９（ａ）は、台紙１０をブリスターカバー１にセットした状態の背面図であり、図９（ｂ）は、フラップ形ガイドレール８およびストッパ用フラップ９と台紙１０との係合状態を示す矢印方向から見た一部拡大図である。
【００４１】
図１０に示される第７実施例のブリスターパッケージは、ブリスターパッケージの左右辺部の下方の間隔が広がる非平行に構成し、デザイン性を向上させたブリスターパッケージである。
本図は、台紙１０をブリスターカバー１にセットした状態の背面図である。また、本図のブリスターパッケージは、ブリスターカバー１の左右辺部に台紙案内用の折り返しフラップ６を設けた構成としてあるが、勿論、前述したようなブリスターカバー１の形態であってもよい。
【００４２】
この第７実施例のものの場合には、台紙１０がある程度下方にずれると台紙１０がブリスターカバー１から脱落してしまうが、本発明のものでは、台紙１０がロック用フラップ２の爪片３によってその上下方向の動きが規制されるので、台紙１０が左右の折り返しフラップ６から外れて脱落するようなことはまずなく、したがってブリスターパッケージのデザインの自由度が従来のものに比して格段に向上する。
【００４３】
図１１に示される第８実施例のブリスターパッケージは、商品の吊り下げ展示用の孔５を、ブリスターカバー１の上端より突出する吊り下げ展示用のフラップ１ｂに設けた構成としてあり、これによって台紙１０にはブリスターカバー１の商品の吊り下げ展示用の孔５と挿通する孔１２をあけないので、台紙１０デザインの自由度が向上するメリットがある。
【００４４】
そして、ブリスターパッケージの運搬や保管時あるいは吊り下げ展示しない場合には、吊り下げ展示用のフラップ１ｂをその基部から台紙１０の背面側に折り畳んでおくこができる。
【００４５】
図１２に示される第９実施例のブリスターパッケージは、台紙１３を、前面側台紙１３ａと背面側台紙１３ｂが上辺で連続する二つ折りの短形のものとしてあって、ブリスターカバー１にセットされた際に、ブリスターカバー１の吊り下げ展示用の孔５と連通する孔１５を有している。また、ブリスターカバー１のロック用フラップ２が挿通するスリット１４が設けられている。
【００４６】
また、本図の台紙１３は、図９に示される第６実施例のブリスターパッケージ用のものとしてある。
図１２（ａ）は、台紙１３の斜視図であり、図１２（ｂ）は、ブリスターカバー１のロック用フラップ２と台紙１３との係合状態を示す要部拡大断面図であり、突起４が台紙１３ａの背面側に当接し、それによって爪片３が同背面側に付勢され、爪片３の先端部がスリット１４の縁部に引っ掛かって係合する。
【００４７】
そして、ロック用フラップ２の係合部分は、背面側台紙１３ｂによってブリスターパッケージの後側に現れず、したがって商品すなわちブリスターパッケージを複数個吊り下げて展示販売した場合、最前の商品をとる際に、その商品すなわちブリスターパッケージのロック用フラップ２が背後に吊り下げられている商品、あるいはその上段に吊り下げられている商品のパッケージ等に引っ掛かるおそれがない。
【００４８】
以上、上述した各実施例におけるブリスターカバーのロック用フラップ、爪片、突起やガイドレール、また台紙のスリット等の寸法や形状は、ブリスターパッケージの大きさや収容する商品の重量等によって決定される。
例えば、爪片の形状や突出寸法、突起の径や凸状高さ、ロック用フラップが挿通されるスリット幅、またその挿通をし易くするために設ける遊び、ガイドレールや台紙案内用の折り返しフラップと台紙との嵌め合い比などのものに対し、それらの部材の寸法や形状が選定される。
【図面の簡単な説明】
【００４９】
【図１】本発明に係る第１実施例のブリスターパッケージにおいてカバーに台紙を取り付ける前の状態を背面側から示す平面図。
【図２】ロック用フラップを拡大して示す平面図。
【図３】台紙をカバーにセットした状態の背面図。
【図４】ブリスターカバーのロック用フラップと台紙との係合状態を示す要部拡大断面図。
【図５】本発明に係る第２実施例のブリスターパッケージを示す図。
【図６】本発明に係る第３実施例のブリスターパッケージを示す図。
【図７】本発明に係る第４実施例のブリスターパッケージを示す図。
【図８】本発明に係る第５実施例のブリスターパッケージを示す図。
【図９】本発明に係る第６実施例のブリスターパッケージを示す図。
【図１０】本発明に係る第７実施例のブリスターパッケージを示す図。
【図１１】本発明に係る第８実施例のブリスターパッケージを示す要部拡大背面図。
【図１２】本発明に係る第９実施例のブリスターパッケージの台紙を示す図。
【符号の説明】
【００５０】
１  ブリスターカバー
１ａ  凹部
１ｂ  吊り下げ展示用のフラップ
２  ロック用フラップ
３  爪片
４  突起
５  吊り下げ展示用の孔
６  台紙案内用の折り返しフラップ
７  突条形ガイドレール
８  フラップ形ガイドレール
９  ストッパ用フラップ
１０  台紙
１１  スリット
１２  孔
１３  二つ折り台紙
１３ａ  前面側台紙
１３ｂ  背面側台紙
１４  スリット
１５  孔
【図１】
2007269379.tif 000003
【図２】
2007269379.tif 000004
【図３】
2007269379.tif 000005
【図４】
2007269379.tif 000006
【図５】
2007269379.tif 000007
【図６】
2007269379.tif 000008
【図７】
2007269379.tif 000009
【図８】
2007269379.tif 000010
【図９】
2007269379.tif 000011
【図１０】
2007269379.tif 000012
【図１１】
2007269379.tif 000013
【図１２】
2007269379.tif 000014